(57)【特許請求の範囲】
【請求項１】
ベース基材に、共振周波数が互いに異なるアンテナが形成される複数の領域を有し、前記アンテナを用いてＩＤを識別可能とする識別体であって、
前記複数の領域のそれぞれは、前記ベース基材の表裏に前記アンテナが形成された構成と、前記ベース基材の表裏のいずれかに前記アンテナが形成された構成と、前記ベース基材の表裏のいずれにも前記アンテナが形成されていない構成とのいずれかが、当該識別体のＩＤに応じて選択されている識別体。
【請求項２】
請求項１に記載の識別体のＩＤを判別するＩＤ判別システムであって、
前記識別体には、前記複数の領域の１つに、当該識別体のＩＤによらずに前記共振周波数が最も低いまたは高い基準アンテナが形成されており、
前記共振周波数を含む複数の周波数の電磁波を放射する放射手段と、
前記放射された電磁波に対する前記アンテナからの反射波を検知する検知手段と、
前記基準アンテナからの反射波のピーク値及び該ピーク値の周波数を基準とし、前記検知された反射波のピーク値と該ピーク値の周波数とに基づいて前記識別体のＩＤを判別する判別手段とを有するＩＤ判別システム。
【請求項３】
ベース基材に、共振周波数が互いに異なるアンテナが形成される複数の領域を有し、前記アンテナが前記複数の領域毎に形成されているかどうかによってＩＤを識別可能とする識別体のＩＤを判別するＩＤ判別システムであって、
前記アンテナが、抵抗値が互いに異なる複数の材料から１つの材料が当該識別体のＩＤに応じて前記複数の領域毎に独立して選択されて当該材料を用いて形成されており、
前記識別体には、前記複数の領域の１つに、当該識別体のＩＤによらずに前記共振周波数が最も低いまたは高い基準アンテナが形成されており、
前記共振周波数を含む複数の周波数の電磁波を放射する放射手段と、
前記放射された電磁波に対する前記アンテナからの反射波を検知する検知手段と、
前記基準アンテナからの反射波のピーク値及び該ピーク値の周波数を基準とし、前記検知された反射波のピーク値と該ピーク値の周波数とに基づいて前記識別体のＩＤを判別する判別手段とを有するＩＤ判別システム。
【発明の詳細な説明】
【技術分野】
【０００１】
本発明は、共振周波数が互いに異なる複数のアンテナの組み合わせでＩＤを識別可能とする識別体及びこの識別体のＩＤを判別する判別システムに関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、共振周波数が互いに異なる複数のアンテナを有し、ＩＣチップを用いずに複数のアンテナの組み合わせでＩＤを識別可能とするものも考えられている。例えば、複数のアンテナを構成する誘電子要素とコンデンサ要素の形状を異ならせたり、複数のアンテナの形状や向きを異ならせたりして共振周波数を複数のアンテナ毎に異ならせ、そのアンテナの組み合わせでＩＤを表現可能とする技術が、特許文献１，２に開示されている。この技術を用いれば、アンテナの数をＮ個とした場合、１つのアンテナの有無によって“１”，“０”の２つの情報を持たせることができ、また、全てのアンテナが無い場合を除いて、（２N−１）個のＩＤを識別可能に表現することができる。
【先行技術文献】
【特許文献】
【０００４】
【特許文献１】特公平７−８０３８６号公報
【特許文献２】特表２００８−５０３７５９号公報
【発明の概要】
【発明が解決しようとする課題】
【０００５】
近年、上述したようにＩＤを用いて商品等を管理することが様々な市場で行われており、それに伴って、識別可能に表現できるＩＤの数が多いことが好ましくなっている。上述したように、共振周波数が互いに異なる複数のアンテナを有し、このアンテナの組み合わせでＩＤを識別可能に表現するものにおいては、アンテナの個数をＮ個とした場合、（２N−１）個のＩＤが表現されることになるため、表現できるＩＤの数を増やす場合はアンテナの数を増やすこととなり、その結果、識別体の大きさが大きくなってしまうこととなる。ところが、識別体は、上述したように商品等に貼付されて使用される場合が多く、その大きさが大きくなってしまうことは好ましくない。
【０００６】
本発明は、上述したような従来の技術が有する問題点に鑑みてなされたものであって、共振周波数が互いに異なる複数のアンテナの組み合わせでＩＤを識別可能とするものにおいて、その大きさを大きくすることなく、識別可能とするＩＤの数を増やすことができる識別体及びこの識別体のＩＤを判別する判別システムを提供することを目的とする。
【課題を解決するための手段】
【０００７】
上記目的を達成するために本発明は、
ベース基材に、共振周波数が互いに異なるアンテナが形成される複数の領域を有し、前記アンテナを用いてＩＤを識別可能とする識別体であって、
前記複数の領域のそれぞれは、前記ベース基材の表裏に前記アンテナが形成された構成と、前記ベース基材の表裏のいずれかに前記アンテナが形成された構成と、前記ベース基材の表裏のいずれにも前記アンテナが形成されていない構成とのいずれかが、当該識別体のＩＤに応じて選択されている。
【０００８】
上記のように構成された本発明においては、共振周波数が互いに異なるアンテナが形成される複数の領域のそれぞれが、ベース基材の表裏にアンテナが形成された構成と、ベース基材の表裏のいずれかにアンテナが形成された構成と、ベース基材の表裏のいずれにもアンテナが形成されていない構成とのいずれかが、識別体のＩＤに応じて選択された構成となっているが、ベース基材の表裏にアンテナが形成された構成と、ベース基材の表裏のいずれかにアンテナが形成された構成とでは、放射された電磁波に対する反射波のピーク値が異なることになるため、このピーク値を検知することにより、１つの共振周波数を用いて２つの情報を持たせることができる。また、ベース基材の表裏のいずれにもアンテナが形成されていない構成においては、放射された電磁波に対する反射波のピーク値は検知されない。それにより、互いに異なる共振周波数毎に、放射された電磁波に対する反射波のピーク値が異なる２つの情報と、放射された電磁波に対する反射波のピーク値が検知されない１つの情報との３つの情報を持たせることができ、互いに異なる共振周波数毎に、アンテナの有無によって“１”，“０”の２つの情報を持たせるものに比べて、その大きさを大きくすることなく識別可能とするＩＤの数を増やすことができる。
【００１１】
上述した識別体のＩＤを判別するＩＤ判別システムとしては、
前記識別体には、前記複数の領域の１つに、当該識別体のＩＤによらずに前記共振周波数が最も低いまたは高い基準アンテナが形成されており、
前記共振周波数を含む複数の周波数の電磁波を放射する放射手段と、
前記放射された電磁波に対する前記アンテナからの反射波を検知する検知手段と、
前記基準アンテナからの反射波のピーク値及び該ピーク値の周波数を基準とし、前記検知された反射波のピーク値と該ピーク値の周波数とに基づいて前記識別体のＩＤを判別する判別手段とを有する構成が考えられる。
【００１２】
このように、識別体において、アンテナが形成される複数の領域の１つに、識別体のＩＤによらずに共振周波数が最も低いまたは高い基準アンテナが形成されており、この基準アンテナからの反射波のピーク値及び該ピーク値の周波数を基準とし、検知された反射波のピーク値と該ピーク値の周波数とに基づいて識別体のＩＤを判別すれば、共振周波数やその周波数におけるピーク値が環境によって異なった場合においても、識別体のＩＤを正確に判別することができる。
【発明の効果】
【００１３】
本発明によれば、共振周波数が互いに異なるアンテナの構成によって、１つの共振周波数毎に３つ以上の情報を持たせることができるため、共振周波数が互いに異なる複数のアンテナの組み合わせでＩＤを識別可能とするものにおいて、その大きさを大きくすることなく、識別可能とするＩＤの数を増やすことができる。
【図面の簡単な説明】
【００１４】
【図１】本発明の識別体の第１の実施の形態における一構成例を示す図であり、（ａ）は表面図、（ｂ）は裏面図、（ｃ）は（ａ）に示したＡ−Ａ’断面図、（ｄ）は（ａ）に示したＢ−Ｂ’断面図である。
【図２】本発明の識別体の第１の実施の形態における他の構成例を示す図であり、（ａ）は表面図、（ｂ）は裏面図、（ｃ）は（ａ）に示したＡ−Ａ’断面図、（ｄ）は（ａ）に示したＢ−Ｂ’断面図である。
【図３】図１及び図２に示したＩＤタグのＩＤを判別するＩＤ判別システムの一例を示す図である。
【図４】図１及び図２に示したＩＤタグのＩＤを判別する方法を説明するための図であり、（ａ）はＩＤタグからの基本的な反射波の特性を示す図、（ｂ）はＩＤタグからの実際の反射波の特性を示す図である。
【図５】図１及び図２に示したＩＤタグについて図３に示したＩＤ判別部にて判別したＩＤを示す図である。
【図６】基準アンテナを用いた判別基準の設定方法を説明するための図であり、（ａ）はピーク値の判別基準の設定方法を示す図、（ｂ）は共振周波数のずれを補正する方法を示す図である。
【図７】本発明の識別体の第２の実施の形態における一構成例を示す図であり、（ａ）は表面図、（ｂ）は（ａ）に示したＡ−Ａ’断面図、（ｃ）は（ａ）に示したＢ−Ｂ’断面図である。
【図８】本発明の識別体の第２の実施の形態における他の構成例を示す図であり、（ａ）は表面図、（ｂ）は（ａ）に示したＡ−Ａ’断面図、（ｃ）は（ａ）に示したＢ−Ｂ’断面図である。
【図９】図７及び図８に示したＩＤタグのＩＤを判別する方法を説明するための図であり、（ａ）はＩＤタグからの基本的な反射波の特性を示す図、（ｂ）はＩＤタグからの実際の反射波の特性を示す図である。
【図１０】図７及び図８に示したＩＤタグについて図３に示したＩＤ判別部にて判別したＩＤを示す図である。
【発明を実施するための形態】
【００１５】
以下に、本発明の実施の形態について図面を参照して説明する。
【００１６】
（第１の実施の形態）
図１は、本発明の識別体の第１の実施の形態における一構成例を示す図であり、（ａ）は表面図、（ｂ）は裏面図、（ｃ）は（ａ）に示したＡ−Ａ’断面図、（ｄ）は（ａ）に示したＢ−Ｂ’断面図である。なお、図１（ｂ）の裏面図は、図１（ａ）の表面図との位置関係が明確になるように表面側から見た裏面の構成を示す。
【００１７】
本例の識別体は図１に示すように、ベース基材１０に８つのアンテナ形成領域２０ａ〜２０ｈを有するＩＤタグ１である。ＩＤタグ１は、ベース基材１０の表面においては、アンテナ形成領域２０ａ〜２０ｈのうちアンテナ形成領域２０ａ〜２０ｄ，２０ｆ〜２０ｈにそれぞれアンテナ３１ａ〜３１ｄ，３１ｆ〜３１ｈが形成されており、また、ベース基材１０の裏面においては、アンテナ形成領域２０ａ〜２０ｈのうちアンテナ形成領域２０ｂ，２０ｄ，２０ｆ，２０ｇにそれぞれアンテナ３２ｂ，３２ｄ，３２ｆ，３２ｇが形成されている。
【００１８】
アンテナ形成領域２０ａ〜２０ｈに形成されるアンテナは、アンテナ形成領域２０ａ〜２０ｈ毎にベース基材１０の表裏のそれぞれで同一形状を有し、それにより、同一の共振周波数を有している。また、アンテナ形成領域２０ａ〜２０ｈに形成されるアンテナは、その形状がアンテナ形成領域２０ａ〜２０ｈどうしで互いに異なり、それにより、互いに異なる共振周波数を有している。
【００１９】
具体的には、アンテナ形成領域２０ａに形成されたアンテナ３１ａは正方形からなるものであるのに対して、アンテナ形成領域２０ｂ〜２０ｄにそれぞれ形成されたアンテナ３１ｂ，３２ｂ，３１ｃ，３１ｄ，３２ｄは、アンテナ３１ａよりも一辺の長さが短い正方形に２本のスタブが設けられて構成されている。また、アンテナ形成領域２０ｆ〜２０ｈにそれぞれ形成されたアンテナ３１ｆ，３２ｆ，３１ｇ，３２ｇ，３１ｈは、アンテナ３１ｂ，３２ｂ，３１ｃ，３１ｄ，３２ｄよりも一辺の長さがさらに短い正方形に２本のスタブが設けられて構成されている。また、アンテナ３１ｂ，３２ｂと、アンテナ３１ｃと、アンテナ３１ｄ，３２ｄと、アンテナ３１ｆ，３２ｆと、アンテナ３１ｇ，３２ｇと、アンテナ３１ｈとは、スタブの長さや位置が異なり、それにより、共振周波数が互いに異なっている。なお、スタブの線幅を異ならせることによっても共振周波数を異ならせることができる。
【００２０】
一般に、アンテナは、その大きさが大きくなるほど共振周波数が低くなり、スタブの長さが長くなるほど共振周波数が低くなる。本例のＩＤタグ１においては、アンテナ形成領域２０ａに形成されたアンテナ３１ａの共振周波数が最も低く、次いで、アンテナ形成領域２０ｂに形成されたアンテナ３１ｂ，３２ｂ、次いで、アンテナ形成領域２０ｃに形成されたアンテナ３１ｃ、次いで、アンテナ形成領域２０ｄに形成されたアンテナ３１ｄ，３２ｄ、次いで、アンテナ形成領域２０ｆに形成されたアンテナ３１ｆ，３２ｆ、次いで、アンテナ形成領域２０ｇに形成されたアンテナ３１ｇ，３２ｇ、次いで、アンテナ形成領域２０ｈに形成されたアンテナ３１ｈの順で、共振周波数が高くなっている。そして、共振周波数が最も低いアンテナ３１ａが基準アンテナとして設定されている。
【００２１】
図２は、本発明の識別体の第１の実施の形態における他の構成例を示す図であり、（ａ）は表面図、（ｂ）は裏面図、（ｃ）は（ａ）に示したＡ−Ａ’断面図、（ｄ）は（ａ）に示したＢ−Ｂ’断面図である。なお、図２（ｂ）の裏面図においても、図１と同様に、図２（ａ）の表面図との位置関係が明確になるように表面側から見た裏面の構成を示す。
【００２２】
本例の識別体は図２に示すように、図１に示したＩＤタグ１と同様にベース基材１１０に８つのアンテナ形成領域１２０ａ〜１２０ｈを有するＩＤタグ１０１である。ＩＤタグ１０１は、ベース基材１１０の表面においては、アンテナ形成領域１２０ａ〜１２０ｈのうちアンテナ形成領域１２０ａ〜１２０ｄ，１２０ｆ〜１２０ｈにアンテナ１３１ａ〜１３１ｄ，１３１ｆ〜１３１ｈが形成されており、また、ベース基材１１０の裏面においては、アンテナ形成領域１２０ａ〜１２０ｈのうちアンテナ形成領域１２０ｃ，１２０ｈにアンテナ１３２ｃ，１３２ｈが形成されている。
【００２３】
ここで、本例におけるＩＤタグ１０１においては、アンテナ形成領域１２０ａ〜１２０ｈに形成されるアンテナは、図１に示したＩＤタグ１におけるアンテナ形成領域２０ａ〜２０ｈに形成されるアンテナとそれぞれ同一形状を有し、それにより、共振周波数が同一のものとなっている。具体的には、アンテナ形成領域１２０ａに形成されたアンテナ１３１ａは、図１に示したＩＤタグ１におけるアンテナ形成領域２０ａに形成されたアンテナ３１ａと同一形状を有して共振周波数が同一のものとなっており、アンテナ形成領域１２０ｂに形成されたアンテナ１３１ｂは、図１に示したＩＤタグ１におけるアンテナ形成領域２０ｂに形成されたアンテナ３１ｂ，３２ｂと同一形状を有して共振周波数が同一のものとなっており、アンテナ形成領域１２０ｃに形成されたアンテナ１３１ｃ，１３２ｃは、図１に示したＩＤタグ１におけるアンテナ形成領域２０ｃに形成されたアンテナ３１ｃと同一形状を有して共振周波数が同一のものとなっており、アンテナ形成領域１２０ｄに形成されたアンテナ１３１ｄは、図１に示したＩＤタグ１におけるアンテナ形成領域２０ｄに形成されたアンテナ３１ｄ，３２ｄと同一形状を有して共振周波数が同一のものとなっており、アンテナ形成領域１２０ｆに形成されたアンテナ１３１ｆは、図１に示したＩＤタグ１におけるアンテナ形成領域２０ｆに形成されたアンテナ３１ｆ，３２ｆと同一形状を有して共振周波数が同一のものとなっており、アンテナ形成領域１２０ｇに形成されたアンテナ１３１ｇは、図１に示したＩＤタグ１におけるアンテナ形成領域２０ｇに形成されたアンテナ３１ｇ，３２ｇと同一形状を有して共振周波数が同一のものとなっており、アンテナ形成領域１２０ｈに形成されたアンテナ１３１ｈ，１３２ｈは、図１に示したＩＤタグ１におけるアンテナ形成領域２０ｈに形成されたアンテナ３１ｈと同一形状を有して共振周波数が同一のものとなっている。すなわち、本例におけるＩＤタグ１０１は、ベース基材１１０の表面の構成が、図１に示したＩＤタグ１と同一のものとなっている。これにより、本例におけるＩＤタグ１０１においては、共振周波数が最も低いアンテナ１３１ａが基準アンテナとして設定されている。
【００２４】
以下に、上記のように構成されたＩＤタグ１，１０１を用いたＩＤ判別方法について説明する。
【００２５】
図３は、図１及び図２に示したＩＤタグ１，１０１のＩＤを判別するＩＤ判別システムの一例を示す図である。
【００２６】
本例におけるＩＤ判別システムは図３に示すように、アンテナ４１と、放射手段となる電磁波放射部４２と、検知手段となる反射波検知部４３と、判別手段となるＩＤ判別部４４とを有している。
【００２７】
電磁波放射部４２は、アンテナ形成領域２０ａ〜２０ｈ，１２０ａ〜１２０ｈに形成されるアンテナの共振周波数を含む周波数帯をスイープしながら当該周波数帯の電磁波をアンテナ４１を介して放射する。なお、電磁波放射部４２においては、アンテナ形成領域２０ａ〜２０ｈ，１２０ａ〜１２０ｈに形成されるアンテナの共振周波数を含む周波数帯をスイープするのではなく、アンテナ形成領域２０ａ〜２０ｈ，１２０ａ〜１２０ｈに形成されるアンテナの共振周波数の電磁波を同時に放射する構成としてもよい。すなわち、電磁波放射部４２は、アンテナ形成領域２０ａ〜２０ｈ，１２０ａ〜１２０ｈに形成されるアンテナの共振周波数を含む複数の周波数の電磁波をアンテナ４１を介して放射するものである。
【００２８】
反射波検知部４３は、電磁波放射部４２から放射された電磁波に対する反射波をアンテナ４１を介して検知する。図１及び図２に示したＩＤタグ１，１０１に対して電磁波放射部４２からアンテナ４１を介して電磁波が放射された場合、ＩＤタグ１，１０１のアンテナ３１ａ〜３１ｄ，３１ｆ〜３１ｈ，３２ｂ，３２ｄ，３２ｆ，３２ｇ，１３１ａ〜１３１ｄ，１３１ｆ〜１３１ｈ，１３２ｃ，１３２ｈからの反射波をアンテナ４１を介して検知する。
【００２９】
ＩＤ判別部４４は、反射波検知部４３にて検知された反射波のうち基準アンテナ２０ａ，１２０ａからの反射波のピーク値及び該ピーク値の周波数を基準とし、反射波検知部４３にて検知された他のアンテナからの反射波のピーク値と該ピーク値の周波数とに基づいてＩＤタグ１，１０１のＩＤを判別する。
【００３０】
図１及び図２に示したＩＤタグ１，１０１においては、上述したように、アンテナ形成領域２０ａ〜２０ｈ，１２０ａ〜１２０ｈに形成されるアンテナ毎に共振周波数が異なる。そこで、電磁波放射部４２において、アンテナ形成領域２０ａ〜２０ｈ，１２０ａ〜１２０ｈに形成されるアンテナの共振周波数を含む周波数帯をスイープしながら当該周波数帯の電磁波をアンテナ４１を介して放射し、その反射波を反射波検知部４３にて検知すれば、アンテナ形成領域２０ａ〜２０ｈ，１２０ａ〜１２０ｈのうちアンテナが形成されている領域においては、そのアンテナ形成領域に形成されたアンテナの共振周波数にて反射波のピーク値が存在し、アンテナが形成されていない領域においては、そのアンテナ形成領域に形成されるアンテナの共振周波数にて反射波のピーク値が存在しない。
【００３１】
そのため、図１に示したＩＤタグ１と図２に示したＩＤタグ１０１とでは、ベース基材１０，１１０の表面の構成のみでは、アンテナ形成領域２０ａ〜２０ｈ，１２０ａ〜１２０ｈの構成が互いに同一であることから、電磁波放射部４２において、アンテナ形成領域２０ａ〜２０ｈ，１２０ａ〜１２０ｈに形成されるアンテナの共振周波数を含む周波数帯をスイープしながら当該周波数帯の電磁波をアンテナ４１を介して放射し、その反射波を反射波検知部４３にて検知した場合、同一の共振周波数でピーク値が存在することとなり、互いに区別することができない。
【００３２】
ここで、図１に示したＩＤタグ１と図２に示したＩＤタグ１０１とでは、ベース基材１０，１１０の裏面の構成が互いに異なっている。図１に示したＩＤタグ１においては、アンテナ形成領域２０ｂにおいてベース基材１０の表裏にアンテナ３１ｂ，３２ｂが形成されている一方、図２に示したＩＤタグ１０１においては、アンテナ形成領域１２０ｂにおいてベース基材１１０の表面にしかアンテナ１３１ｂが形成されていない。また、図１に示したＩＤタグ１においては、アンテナ形成領域２０ｃにおいてベース基材１０の表面にしかアンテナ３１ｃが形成されていない一方、図２に示したＩＤタグ１０１においては、アンテナ形成領域１２０ｃにおいてベース基材１１０の表裏にアンテナ１３１ｃ，１３２ｃが形成されている。また、図１に示したＩＤタグ１においては、アンテナ形成領域２０ｄにおいてベース基材１０の表裏にアンテナ３１ｄ，３２ｄが形成されている一方、図２に示したＩＤタグ１０１においては、アンテナ形成領域１２０ｃにおいてベース基材１１０の表面にしかアンテナ１３１ｄが形成されていない。また、図１に示したＩＤタグ１においては、アンテナ形成領域２０ｇにおいてベース基材１０の表裏にアンテナ３１ｇ，３２ｇが形成されている一方、図２に示したＩＤタグ１０１においては、アンテナ形成領域１２０ｇにおいてベース基材１１０の表面にしかアンテナ１３１ｇが形成されていない。
【００３３】
このようにベース基材１０，１１０の表裏にアンテナが形成されている場合とベース基材１０，１１０の表面のみにアンテナが形成されている場合とでは、そのアンテナの共振周波数における反射波のピーク値が異なるものとなる。これは、ベース基材１０，１１０の表面のみにアンテナが形成されている場合に限らず、ベース基材１０，１１０の表裏のいずれかにアンテナが形成されている場合についても同様である。
【００３４】
図４は、図１及び図２に示したＩＤタグ１，１０１のＩＤを判別する方法を説明するための図であり、（ａ）はＩＤタグ１，１０１からの基本的な反射波の特性を示す図、（ｂ）はＩＤタグ１，１０１からの実際の反射波の特性を示す図である。
【００３５】
上述したように、ベース基材１０，１１０の表裏にアンテナが形成されている場合とベース基材１０，１１０の表裏のいずれかにアンテナが形成されている場合とでは、そのアンテナの共振周波数における反射波のピーク値が異なるものとなる。具体的には図４（ａ）に示すように、ベース基材１０，１１０の表裏にアンテナが形成されている場合の反射波は実線で示すようなものとなり、また、ベース基材１０，１１０の表裏のいずれかにアンテナが形成されている場合の反射波は破線で示すようなものとなり、ベース基材１０，１１０の表裏にアンテナが形成されている場合の反射波のピーク値が、ベース基材１０，１１０の表裏のいずれかにアンテナが形成されている場合の反射波のピーク値よりもそのロスが小さなものとなる。これは、ベース基材１０，１１０の表裏に形成されたアンテナどうしでブースター機能を果たし、反射波を強め合っていることによる。
【００３６】
そこで、ベース基材１０，１１０の表裏にアンテナが形成されている場合の反射波のピーク値と、ベース基材１０，１１０の表裏のいずれかにアンテナが形成されている場合の反射波のピーク値との間のロス値に判別ラインＡを設けることにより、ピーク値が存在する共振周波数のアンテナが形成されるアンテナ形成領域において、ベース基材１０，１１０の表裏にアンテナが形成されているのか、ベース基材１０，１１０の表裏のいずれかにアンテナが形成されているのかを区別することができる。すなわち、ベース基材１０，１１０の表裏にアンテナが形成されている場合とベース基材１０，１１０の表裏のいずれかにアンテナが形成されている場合とで、１つの共振周波数を用いて２つの情報を持たせることができる。また、アンテナが形成されていないアンテナ形成領域においては、そのアンテナの共振周波数においてピーク値が存在しないため、ベース基材１０，１１０の表裏のいずれかにアンテナが形成されている場合の反射波のピーク値よりも大きなロス値に判別ラインＢを設けることにより、その共振周波数を有するアンテナが形成されるアンテナ形成領域にアンテナが形成されていない旨も判別することができる。これにより、互いに異なる共振周波数毎に、放射された電磁波に対する反射波のピーク値が異なる２つの情報と、放射された電磁波に対する反射波が検知されない１つの情報との３つの情報を持たせることができる。
【００３７】
図１及び図２に示したＩＤタグ１，１０１において、アンテナ形成領域２０ａ，１２０ａに形成されるアンテナの共振周波数がｆ0であり、アンテナ形成領域２０ｂ，１２０ｂに形成されるアンテナの共振周波数がｆ1であり、アンテナ形成領域２０ｃ，１２０ｃに形成されるアンテナの共振周波数がｆ2であり、アンテナ形成領域２０ｄ，１２０ｄに形成されるアンテナの共振周波数がｆ3であり、アンテナ形成領域２０ｅ，１２０ｅに形成されるアンテナの共振周波数がｆ4であり、アンテナ形成領域２０ｆ，１２０ｆに形成されるアンテナの共振周波数がｆ5であり、アンテナ形成領域２０ｇ，１２０ｇに形成されるアンテナの共振周波数がｆ6であり、アンテナ形成領域２０ｈ，１２０ｈに形成されるアンテナの共振周波数がｆ7であるとする。すると、電磁波放射部４２において、アンテナ形成領域２０ａ〜２０ｈ，１２０ａ〜１２０ｈに形成されるアンテナの共振周波数を含む周波数帯をスイープしながら当該周波数帯の電磁波をアンテナ４１を介して放射した場合、ＩＤタグ１においては、図４（ｂ）の実線で示すように、アンテナ形成領域２０ａに形成されるアンテナの共振周波数ｆ0における反射波のピーク値は判別ラインＡとＢとの間に存在し、アンテナ形成領域２０ｂに形成されるアンテナの共振周波数ｆ1における反射波のピーク値は判別ラインＡよりも小さなものとなり、アンテナ形成領域２０ｃに形成されるアンテナの共振周波数ｆ2における反射波のピーク値は判別ラインＡとＢとの間に存在し、アンテナ形成領域２０ｄに形成されるアンテナの共振周波数ｆ3における反射波のピーク値は判別ラインＡよりも小さなものとなり、アンテナ形成領域２０ｅに形成されるアンテナの共振周波数ｆ4における反射波のピーク値は存在せずにロスが判別ラインＢよりも大きなものとなり、アンテナ形成領域２０ｆに形成されるアンテナの共振周波数ｆ5における反射波のピーク値は判別ラインＡよりも小さなものとなり、アンテナ形成領域２０ｇに形成されるアンテナの共振周波数ｆ6における反射波のピーク値は判別ラインＡよりも小さなものとなり、アンテナ形成領域２０ｈに形成されるアンテナの共振周波数ｆ7における反射波のピーク値は判別ラインＡとＢとの間に存在することになる。一方、ＩＤタグ１０１においては、図４（ｂ）の破線で示すように、アンテナ形成領域１２０ａに形成されるアンテナの共振周波数ｆ0のピーク値は判別ラインＡとＢとの間に存在し、アンテナ形成領域１２０ｂに形成されるアンテナの共振周波数ｆ1のピーク値は判別ラインＡとＢとの間に存在し、アンテナ形成領域１２０ｃに形成されるアンテナの共振周波数ｆ2のピーク値は判別ラインＡよりも小さなものとなり、アンテナ形成領域１２０ｄに形成されるアンテナの共振周波数ｆ3のピーク値は判別ラインＡとＢとの間に存在し、アンテナ形成領域１２０ｅに形成されるアンテナの共振周波数ｆ4のピーク値は存在せずにロスが判別ラインＢよりも大きなものとなり、アンテナ形成領域１２０ｆに形成されるアンテナの共振周波数ｆ5のピーク値は判別ラインＡとＢとの間に存在し、アンテナ形成領域１２０ｇに形成されるアンテナの共振周波数ｆ6のピーク値は判別ラインＡとＢとの間に存在し、アンテナ形成領域１２０ｈに形成される���ンテナの共振周波数ｆ7のピーク値は判別ラインＡよりも小さなものとなる。
【００３８】
このように、アンテナ形成領域２０ａ〜２０ｈ，１２０ａ〜１２０ｈのそれぞれが、ベース基材１０，１１０の表裏にアンテナが形成された構成と、ベース基材１０，１１０の表裏のいずれかにアンテナが形成された構成と、ベース基材１０，１１０の表裏のいずれにもアンテナが形成されていない構成とのいずれかであることにより、アンテナ形成領域２０ａ〜２０ｈ，１２０ａ〜１２０ｈのそれぞれに互いに共振周波数が異なるように形成されるアンテナの共振周波数毎に３つの情報を持たせることができ、この３つの情報を用いてＩＤを構成することができる。そして、アンテナ形成領域の数をＮ個とした場合、基準アンテナが形成されたアンテナ形成領域については１つの情報が固定されるため、３N-1個のＩＤを構成することができるようになる。
【００３９】
図５は、図１及び図２に示したＩＤタグ１，１０１について図３に示したＩＤ判別部４４にて判別したＩＤを示す図である。
【００４０】
上述した特性を利用して、ＩＤ判別部４４においては、アンテナ形成領域２０ａ〜２０ｈ，１２０ａ〜１２０ｈに形成されるアンテナの共振周波数毎に、その共振周波数における反射波のピーク値が判別ラインＡよりも小さなものを“２”とし、判別ラインＡとＢとの間に存在するものを“１”とし、判別ラインＢよりも大きなものを“０”としてＩＤタグ１，１０１のＩＤを判別する。
【００４１】
共振周波数が低い方からの並び順とした場合、図５に示すように、ＩＤタグ１については、“１２１２０２２１”となり、ＩＤタグ１０１については、“１１２１０１１２”となり、ベース基材１０，１１０の表面の構成が同一であるＩＤタグ１とＩＤタグ１０１とを区別することができるようになる。なお、共振周波数が最も低い反射波は、基準アンテナ２０ａ，１２０ａからの反射波であるためＩＤとしては使用せず、ＩＤタグ１のＩＤは、“２１２０２２１”となり、ＩＤタグ１０１のＩＤは、“１２１０１１２”となる。
【００４２】
このように、図１及び図２に示したＩＤタグ１，１０１は、ベース基材１０，１１０の表裏にアンテナが形成された構成と、ベース基材１０，１１０の表裏のいずれかにアンテナが形成された構成と、ベース基材１０，１１０の表裏のいずれにもアンテナが形成されていない構成とのいずれかが、ＩＤタグ１，１０１のＩＤに応じて選択されていることになる。これにより、１つの共振周波数毎に３つの情報を持たせることができ、共振周波数が互いに異なる複数のアンテナの組み合わせでＩＤを識別可能とするものにおいて、その大きさを大きくすることなく、識別可能とするＩＤの数を増やすことができる。
【００４３】
以下に、図１及び図２に示したＩＤタグ１，１０１において、基準アンテナ３１ａ，１３１ａを設ける理由について説明する。
【００４４】
図６は、基準アンテナ３１ａ，１３１ａを用いた判別基準の設定方法を説明するための図であり、（ａ）はピーク値の判別基準の設定方法を示す図、（ｂ）は共振周波数のずれを補正する方法を示す図である。
【００４５】
図１及び図２に示したＩＤタグ１，１０１は、図３に示した反射検知部４３にて反射波を検知する場合、ＩＤタグ１，１０１とアンテナ４１との距離によってそのピーク値が異なることになる。そのため、上述したような判別ラインを設定していたとしても、ベース基材１０，１１０の表裏にアンテナが形成された構成と、ベース基材１０，１１０の表裏のいずれかにアンテナが形成された構成と、ベース基材１０，１１０の表裏のいずれにもアンテナが形成されていない構成との区別ができなくなってしまう虞れがある。
【００４６】
そこで、基準アンテナ３１ａ，１３１ａの共振周波数における反射波のピーク値を基準として判別ラインを設定する。
【００４７】
例えば、基準アンテナ３１ａ，１３１ａからの反射波の周波数特性が図６（ａ）の実線で示すようなものの場合は、ベース基材１０，１１０の表裏にアンテナが形成された構成と、ベース基材１０，１１０の表裏のいずれかにアンテナが形成された構成とを区別するための判別ラインＡ1を設定するとともに、ベース基材１０，１１０の表裏のいずれかにアンテナが形成された構成と、ベース基材１０，１１０の表裏のいずれにもアンテナが形成されていない構成とを区別するための判別ラインＢ1を設定する。また、基準アンテナ３１ａ，１３１ａからの反射波の周波数特性が図６（ａ）の破線で示すようなものの場合は、ベース基材１０，１１０の表裏にアンテナが形成された構成と、ベース基材１０，１１０の表裏のいずれかにアンテナが形成された構成とを区別するための判別ラインＡ2を設定するとともに、ベース基材１０，１１０の表裏のいずれかにアンテナが形成された構成と、ベース基材１０，１１０の表裏のいずれにもアンテナが形成されていない構成とを区別するための判別ラインＢ2を設定する。
【００４８】
これにより、図１及び図２に示したＩＤタグ１，１０１について、図３に示した反射検知部４３にて検知する反射波のピーク値が、ＩＤタグ１，１０１とアンテナ４１との距離によって異なった場合においても、ベース基材１０，１１０の表裏にアンテナが形成された構成と、ベース基材１０，１１０の表裏のいずれかにアンテナが形成された構成と、ベース基材１０，１１０の表裏のいずれにもアンテナが形成されていない構成とを区別することができるようになる。
【００４９】
また、図１及び図２に示したＩＤタグ１，１０１においては、商品等に貼付された場合に、アンテナそれぞれの共振周波数がシフトすることになる。そのため、アンテナ形成領域２０ａ〜２０ｈ，１２０ａ〜１２０ｈに形成されるアンテナの共振周波数における反射波のピーク値を正確に検知することができなくなってしまう。
【００５０】
そこで、共振周波数が最も低いアンテナ２０ａ，１２０ａを基準アンテナとし、この基準アンテナのシフト量に基づいて、アンテナ形成領域２０ａ〜２０ｈ，１２０ａ〜１２０ｈに形成されるアンテナの共振周波数をそれぞれシフトさせることにより、アンテナ形成領域２０ａ〜２０ｈ，１２０ａ〜１２０ｈに形成されるアンテナの共振周波数における反射波のピーク値を正確に検知することができるようになる。
【００５１】
例えば図６（ｂ）の実線で示すように、基準アンテナ２０ａ，１２０ａの共振周波数ｆ0が低周波数側のｆ1にシフトした場合、アンテナ形成領域２０ａ〜２０ｈ，１２０ａ〜１２０ｈに形成されるアンテナの共振周波数をそれぞれ（ｆ0−ｆ1）に所定の係数を掛けた周波数だけ低周波数側にシフトさせる。また、図６（ｂ）の破線で示すように、基準アンテナ２０ａ，１２０ａの共振周波数ｆ0が低周波数側のｆ2にシフトした場合、アンテナ形成領域２０ａ〜２０ｈ，１２０ａ〜１２０ｈに形成されるアンテナの共振周波数をそれぞれ（ｆ0−ｆ2）に所定の係数を掛けた周波数だけ低周波数側にシフトさせる。なお、所定の係数は、事前の計測値に基づいて予め算出されている。
【００５２】
これにより、ＩＤタグ１，１０１が商品等に貼付されることによってアンテナそれぞれの共振周波数がシフトした場合であっても、アンテナ形成領域２０ａ〜２０ｈ，１２０ａ〜１２０ｈに形成されるアンテナの共振周波数における反射波のピーク値を正確に検知することができるようになる。
【００５３】
なお、共振周波数が最も低いアンテナ２０ａ，１２０ａを基準アンテナとするのは、上述したように、ＩＤタグ１，１０１が商品等に貼付された場合に、アンテナそれぞれの共振周波数がシフトすることになるため、共振周波数が最も低いアンテナ２０ａ，１２０ａを基準アンテナとしておけば、検知した反射波のピーク値の共振周波数が最も低いものを基準アンテナと認識し、周波数特性がどのようにシフトしたかを把握することができるようになるためである。
【００５４】
また、ＩＤタグ１，１０１は、商品等に貼付された場合に一般的にアンテナそれぞれの共振周波数が低い周波数にシフトするが、ＩＤタグ１，１０１の近傍に金属が存在すると、複共振によって共振周波数が高い周波数にシフトする場合もある。そのため、アンテナ形成領域２０ａ〜２０ｈ，１２０ａ〜１２０ｈに形成されるアンテナの共振周波数が、最も高い共振周波数が最も低い共振周波数の倍以上となるブロードバンドの場合は、反射波のピークと複共振したピークとの区別がつかなくなるため、共振周波数が最も低いアンテナ２０ａ，１２０ａを基準アンテナとする必要があるが、アンテナ形成領域２０ａ〜２０ｈ，１２０ａ〜１２０ｈに形成されるアンテナの共振周波数が、複共振が生じない程度の狭い周波数帯域のナローバンドの場合は、共振周波数が最も低いアンテナに限らず、共振周波数が最も高いアンテナを基準アンテナとして設定することができる。このように、アンテナが形成される複数の領域の１つに、複数の領域に形成されるアンテナの共振周波数の幅に応じて、識別体のＩＤによらずに共振周波数が最も低いまたは高い基準アンテナを形成しておくことにより、この基準アンテナからの反射波のピーク値とそのピーク値の周波数を基準として他のアンテナからの反射波を用いて識別体のＩＤを正確に判別することができる。
【００５５】
（第２の実施の形態）
図７は、本発明の識別体の第２の実施の形態における一構成例を示す図であり、（ａ）は表面図、（ｂ）は（ａ）に示したＡ−Ａ’断面図、（ｃ）は（ａ）に示したＢ−Ｂ’断面図である。
【００５６】
本例の識別体は図７に示すように、図１及び図２に示したものと同様にベース基材２１０に８つのアンテナ形成領域２２０ａ〜２２０ｈを有するＩＤタグ２０１である。８つのアンテナ形成領域２２０ａ〜２２０ｈのそれぞれには、ベース基材２１０の表面にアンテナ２３０ａ〜２３０ｈが形成されている。
【００５７】
アンテナ形成領域２２０ａ〜２２０ｈに形成されたアンテナ２３０ａ〜２３０ｈは、銀を材料として形成され、その形状がアンテナ形成領域２２０ａ〜２２０ｈどうしで互いに異なり、それにより、互いに異なる共振周波数を有している。
【００５８】
具体的には、アンテナ形成領域２２０ａ〜２２０ｈに形成されたアンテナ２３０ａ〜２３０ｈは、それぞれコイル形状であり、その外形が互いに同一であるものの、そのターン数が、アンテナ形成領域２２０ａに形成されたアンテナ２３０ａが最も多く、次いで、アンテナ形成領域２２０ｂに形成されたアンテナ２３０ｂ、次いで、アンテナ形成領域２２０ｃに形成されたアンテナ２３０ｃ、次いで、アンテナ形成領域２２０ｄに形成されたアンテナ２３０ｄ、次いで、アンテナ形成領域２２０ｅに形成されたアンテナ２３０ｅ、次いで、アンテナ形成領域２２０ｆに形成されたアンテナ２３０ｆ、次いで、アンテナ形成領域２２０ｇに形成されたアンテナ２３０ｇの順にターン数が少なくなっていき、アンテナ形成領域２２０ｈに形成されたアンテナ２３０ｈのターン数が最も少なくなっている。それにより、共振周波数が互いに異なっており、本例のＩＤタグ２０１においては、アンテナ形成領域２２０ａに形成されたアンテナ２３０ａの共振周波数が最も低く、次いで、アンテナ形成領域２２０ｂに形成されたアンテナ２３０ｂ、次いで、アンテナ形成領域２２０ｃに形成されたアンテナ２３０ｃ、次いで、アンテナ形成領域２２０ｄに形成されたアンテナ２３０ｄ、次いで、アンテナ形成領域２２０ｅに形成されたアンテナ２３０ｅ、次いで、アンテナ形成領域２２０ｆに形成されたアンテナ２３０ｆ、次いで、アンテナ形成領域２２０ｇに形成されたアンテナ２３０ｇ、次いで、アンテナ形成領域２２０ｈに形成されたアンテナ２３０ｈの順で、共振周波数が高くなっている。そして、共振周波数が最も低いアンテナ２３０ａが基準アンテナとして設定されている。
【００５９】
図８は、本発明の識別体の第２の実施の形態における他の構成例を示す図であり、（ａ）は表面図、（ｂ）は（ａ）に示したＡ−Ａ’断面図、（ｃ）は（ａ）に示したＢ−Ｂ’断面図である。
【００６０】
本例の識別体は図８に示すように、その構成は図７に示したものと同様であるが、アンテナ形成領域３２０ａ〜３２０ｈに形成されたアンテナ３３０ａ〜３３０ｈが、カーボンを材料として形成されている点で図７に示したものとは異なるＩＤタグ３０１である。
【００６１】
このように、本形態においては、図７に示したＩＤタグ２０１と図８に示したＩＤタグ３０１とでは、アンテナ形成領域２２０ａ〜２２０ｈ，３２０ａ〜３２０ｈに形成されたアンテナ２３０ａ〜２３０ｈ，３３０ａ〜３３０ｈが、抵抗値が互いに異なる材料から形成されている。アンテナ形成領域２２０ａ〜２２０ｈ，３２０ａ〜３２０ｈに形成されたアンテナ２３０ａ〜２３０ｈ，３３０ａ〜３３０ｈが、抵抗値が互いに異なる材料から形成されている場合、共振周波数における反射波のピーク値が互いに異なるものとなる。
【００６２】
図９は、図７及び図８に示したＩＤタグ２０１，３０１のＩＤを判別する方法を説明するための図であり、（ａ）はＩＤタグ２０１，３０１からの基本的な反射波の特性を示す図、（ｂ）はＩＤタグ２０１，３０１からの実際の反射波の特性を示す図である。
【００６３】
上述したように、アンテナ形成領域２２０ａ〜２２０ｈ，３２０ａ〜３２０ｈに形成されたアンテナ２３０ａ〜２３０ｈ，３３０ａ〜３３０ｈが、抵抗値が互いに異なる材料から形成されている場合、共振周波数における反射波のピーク値が異なるものとなる。具体的には図９（ａ）に示すように、アンテナ形成領域２２０ａ〜２２０ｈに銀を材料として形成されたアンテナ２３０ａ〜２３０ｈの反射波が実線で示すようなものとなり、また、アンテナ形成領域３２０ａ〜３２０ｈにカーボンを材料として形成されたアンテナ３３０ａ〜３３０ｈの反射波が破線で示すようなものとなり、アンテナ形成領域２２０ａ〜２２０ｈに銀を材料として形成されたアンテナ２３０ａ〜２３０ｈの反射波のピーク値が、アンテナ形成領域３２０ａ〜３２０ｈにカーボンを材料として形成されたアンテナ３３０ａ〜３３０ｈの反射波のピーク値よりもそのロスが小さなものとなる。これは、銀の抵抗値がカーボンの抵抗値よりも小さなことによる。
【００６４】
そこで、アンテナ形成領域２２０ａ〜２２０ｈに銀を材料として形成されたアンテナ２３０ａ〜２３０ｈの反射波のピーク値と、アンテナ形成領域３２０ａ〜３２０ｈにカーボンを材料として形成されたアンテナ３３０ａ〜３３０ｈの反射波のピーク値との間のロス値に判別ラインＡを設けることにより、ピーク値が存在する共振周波数を有するアンテナが形成されるアンテナ形成領域において、銀を材料としてアンテナが形成されているのか、カーボンを材料としてアンテナが形成されているのかを区別することができる。すなわち、選択的に銀とカーボンを材料としてアンテナを形成することで、１つの共振周波数を用いて２つの情報を持たせることができる。また、アンテナが形成されていないアンテナ形成領域においては、そのアンテナの共振周波数においてピーク値が存在しないため、アンテナ形成領域３２０ａ〜３２０ｈにカーボンを材料として形成されたアンテナ３３０ａ〜３３０ｈの反射波のピーク値よりも大きなロス値に判別ラインＢを設けることにより、その共振周波数を有するアンテナが形成されるアンテナ形成領域にアンテナが形成されていない旨も判別することができる。これにより、互いに異なる共振周波数毎に、放射された電磁波に対する反射波のピーク値が異なる２つの情報と、放射された電磁波に対する反射波が検知されない１つの情報との３つの情報を持たせることができる。なお、共振周波数を変化させずに抵抗値を変える方法としては、コイル状のアンテナの線幅や線間、厚みを変える方法もある。
【００６５】
図７及び図８に示したＩＤタグ２０１，３０１において、アンテナ形成領域２２０ａ，３２０ａに形成されるアンテナの共振周波数がｆ0であり、アンテナ形成領域２２０ｂ，３２０ｂに形成されるアンテナの共振周波数がｆ1であり、アンテナ形成領域２２０ｃ，３２０ｃに形成されるアンテナの共振周波数がｆ2であり、アンテナ形成領域２２０ｄ，３２０ｄに形成されるアンテナの共振周波数がｆ3であり、アンテナ形成領域２２０ｅ，３２０ｅに形成されるアンテナの共振周波数がｆ4であり、アンテナ形成領域２２０ｆ，３２０ｆに形成されるアンテナの共振周波数がｆ5であり、アンテナ形成領域２２０ｇ，３２０ｇに形成されるアンテナの共振周波数がｆ6であり、アンテナ形成領域２２０ｈ，３２０ｈに形成されるアンテナの共振周波数がｆ7であるとする。すると、図３に示した電磁波放射部４２において、アンテナ形成領域２２０ａ〜２２０ｈ，３２０ａ〜３２０ｈに形成されるアンテナの共振周波数を含む周波数帯をスイープしながら当該周波数帯の電磁波をアンテナ４１を介して放射した場合、ＩＤタグ２０１においては、図９（ｂ）の実線で示すように、アンテナ形成領域２２０ａ〜２２０ｈに形成されるアンテナの共振周波数ｆ0〜ｆ7における反射波のそれぞれのピーク値が、判別ラインＡよりも小さなものとなる。一方、ＩＤタグ３０１においては、図９（ｂ）の破線で示すように、アンテナ形成領域３２０ａ〜３２０ｈに形成されるアンテナの共振周波数ｆ0〜ｆ7における反射波のそれぞれのピーク値が、判別ラインＡとＢとの間に存在することとなる。
【００６６】
このように、アンテナ形成領域２２０ａ〜２２０ｈ，３２０ａ〜３２０ｈに形成されるアンテナの材料を、抵抗値が互いに異なるものとすることにより、アンテナ形成領域２２０ａ〜２２０ｈ，３２０ａ〜３２０ｈのそれぞれに互いに共振周波数が異なるように形成されるアンテナの共振周波数毎に２つの情報を持たせることができ、さらには、アンテナ形成領域２２０ａ〜２２０ｈ，３２０ａ〜３２０ｈにアンテナが形成されていない場合も含めて３つの情報を用いてＩＤを構成することができるようになる。
【００６７】
図１０は、図７及び図８に示したＩＤタグ２０１，３０１について図３に示したＩＤ判別部４４にて判別したＩＤを示す図である。
【００６８】
上述した特性を利用して、ＩＤ判別部４４においては、アンテナ形成領域２２０ａ〜２２０ｈ，３２０ａ〜３２０ｈに形成されるアンテナの共振周波数毎に、その共振周波数における反射波のピーク値が判別ラインＡよりも小さなものを“２”とし、判別ラインＡとＢとの間に存在するものを“１”とし、判別ラインＢよりも大きなものを“０”としてＩＤタグ２０１，３０１のＩＤを判別する。
【００６９】
共振周波数が低い方からの並び順とした場合、図１０に示すように、ＩＤタグ２０１については、“２２２２２２２２”となり、ＩＤタグ３０１については、“１１１１１１１１”となり、ベース基材２１０，３１０の表面の構成が同一であるＩＤタグ２０１とＩＤタグ３０１とを区別することができるようになる。なお、共振周波数が最も低い反射波は、基準アンテナ２２０ａ，３２０ａからの反射波であるためＩＤとしては使用せず、ＩＤタグ２０１のＩＤは、“２２２２２２２”となり、ＩＤタグ３０１のＩＤは、“１１１１１１１”となる。
【００７０】
なお、本形態においては、ＩＤタグ２０１についてはアンテナ形成領域２２０ａ〜２２０ｈの全てにアンテナ２３０ａ〜２３０ｈが形成され、さらに、これらのアンテナ２３０ａ〜２３０ｈの全てが銀を用いて形成されており、また、ＩＤタグ３０１についてはアンテナ形成領域３２０ａ〜３２０ｈの全てにアンテナ３３０ａ〜３３０ｈが形成され、さらに、これらのアンテナ３３０ａ〜３３０ｈの全てがカーボンを用いて形成されているが、アンテナ形成領域２２０ａ〜２２０ｈ，３２０ａ〜３２０ｈ毎に、アンテナを形成する材料を選択し、さらにアンテナが形成されない領域を設けることで、第１の実施の形態に示したようなＩＤを構成することができる。すなわち、本形態は、アンテナ２３０ａ〜２３０ｈ，３３０ａ〜３３０ｈが、銀とカーボンのうちいずれかがＩＤタグ２０１，３０１のＩＤに応じてアンテナ形成領域２２０ａ〜２２０ｈ，３２０ａ〜３２０ｈ毎に独立して選択され、選択された材料を用いて形成されているものである。例えば、ＩＤタグ２０１において、アンテナ形成領域２２０ｂには銀を用いてアンテナ２３０ｂが形成され、アンテナ形成領域２２０ｃにはカーボンを用いてアンテナ２３０ｃが形成され、アンテナ形成領域２２０ｄにはアンテナが形成されないというように、１つのＩＤタグにおいて、銀を用いて形成されるアンテナとカーボンを用いて形成されるアンテナが混在するものであり、その中で、図７や図８に示したように、構成するＩＤによっては、１つのＩＤタグにおいて、全てのアンテナが銀で形成されたり、カーボンで形成されたりする場合が生じるものである。
【００７１】
また、アンテナを形成する材料は、銀やカーボンに限らず、抵抗値が互いに異なるものであればよく、その数も２種類よりも増やせば、１つの共振周波数についてより多くの情報を持たせることができる。また、アンテナの形状を互いに異ならせることによっても、さらに多くの情報を持たせることができる。
【００７２】
また、本形態においては、アンテナ形成領域２２０ａ〜２２０ｈに形成されたアンテナ２３０ａ〜２３０ｈのターン数を互いに異ならせることにより、アンテナ２３０ａ〜２３０ｈの共振周波数を異ならせているが、コイル状のアンテナ２３０ａ〜２３０ｈの線幅や線間、厚みを互いに異ならせることにより、共振周波数を異ならせてもよい。
【００７３】
このように、本形態においては、アンテナ形成領域２２０ａ〜２２０ｈ，３２０ａ〜３２０ｈに形成されたアンテナ２３０ａ〜２３０ｈ，３３０ａ〜３３０ｈを、抵抗値が互いに異なる複数の材料から１つの材料をアンテナ形成領域２２０ａ〜２２０ｈ，３２０ａ〜３２０ｈ毎にＩＤタグ２０１，３０１のＩＤに応じて選択してその材料を用いて形成することで、１つの共振周波数毎に３つ以上の情報を持たせることができ、共振周波数が互いに異なる複数のアンテナの組み合わせでＩＤを識別可能とするものにおいて、その大きさを大きくすることなく、識別可能とするＩＤの数を増やすことができる。
【００７４】
なお、上述した実施の形態においては、アンテナとして正方形や正方形にスタブが設けられた形状のものやコイル状のものを例に挙げて説明したが、アンテナとしては円形や長方形、スリット形状のもの等、適宜選択することができる。
【符号の説明】
【００７５】
１，１０１，２０１，３０１    ＩＤタグ
１０，１１０，２１０，３１０    ベース基材
２０ａ〜２０ｈ，１２０ａ〜１２０ｈ，２２０ａ〜２２０ｈ，３２０ａ〜３２０ｈ    アンテナ形成領域
３１ａ〜３１ｄ，３１ｆ〜３１ｈ，３２ｂ，３２ｄ，３２ｆ，３２ｇ，４１，１３１ａ〜１３１ｄ，１３１ｆ〜１３１ｈ，１３２ｃ，１３２ｈ，２３０ａ〜２３０ｈ，３３０ａ〜３３０ｈ    アンテナ
４２    電磁波放射部
４３    反射波検知部
４４    ＩＤ判別部
【図１】
0006472986.tif 000002
【図２】
0006472986.tif 000003
【図３】
0006472986.tif 000004
【図４】
0006472986.tif 000005
【図５】
0006472986.tif 000006
【図６】
0006472986.tif 000007
【図７】
0006472986.tif 000008
【図８】
0006472986.tif 000009
【図９】
0006472986.tif 000010
【図１０】
0006472986.tif 000011